(57)【要約】【課題】ネットワークを使用した広告配信において、ネットワークトラヒックを低減しつつ、広告効果を高める。【解決手段】情報配信サーバ１００と基地局１０５ａと携帯端末１０６ａ、１０６ｂを備え、携帯端末１０６ａが情報配信サーバ１００から受信した広告を基地局１０５ａ経由で携帯端末１０６ｂへ再配信することにより、インターネット１０１およびコアネットワーク１０２におけるトラヒックを低減しつつ、広告効果を高める。【選択図】図１
2009147846.tif 000002
【特許請求の範囲】
【請求項１】
情報主が提供する情報を配信する情報配信サーバと、
前記情報を受信し、無線信号として送信することができる基地局を複数有する第一の基地局群と、
前記第一の基地局群と無線信号を介して通信することができる複数の端末とを具備し、
前記複数の端末には、前記第一の基地局群から送信された前記情報を受信し、前記受信した情報を再送信する機能を有する第一の端末と、
前記第一の端末より再送信された前記情報を受信する機能を有する第二の端末を含むことを特徴とする広告配信システム。
【請求項２】
前記第一の基地局群は、前記第一の端末より再送信された前記情報を受信し、前記受信した情報を前記第二の端末へ再送信する基地局を含むことを特徴とする請求項１に記載の広告配信システム。
【請求項３】
前記第一の基地局群と無線信号を介して通信することができる通信エリアにおいて前記情報を受信し、前記第一の基地局群と無線信号を介して前記通信エリア外に移動し、前記情報を再送信する機能を有する第三の端末と、
前記第三の端末より再送信された前記情報を受信する機能を有する第四の端末をさらに具備することを特徴とする請求項１に記載の広告配信システム。
【請求項４】
前記第三の端末から送信された前記情報を受信し、前記受信した情報を前記第四の端末へ再送信する基地局を含む第二の基地局群をさらに有する事を特徴とする請求項３に記載の広告配信システム。
【請求項５】
前記情報は、情報の内容に関する情報ＩＤが付加されていることを特徴とする請求項１〜請求項４に記載の広告配信システム。
【請求項６】
前記第一の端末、前記第二の端末、前記第三の端末および前記第四の端末は、前記情報ＩＤをもとに、受信する情報を選択する機能を有することを特徴とする請求項５に記載の広告配信システム。
【請求項７】
前記第一の基地局群および前記第二の基地局群は、前記情報ＩＤをもとに前記情報の送信先端末を選択する機能を有する基地局を含むことを特徴とする請求項５に記載の広告配信システム。
【請求項８】
前記第一の基地局群および前記第二の基地局群は、前記第一の端末、前記第二の端末、前記第三の端末および前記第四の端末から、受信したい情報に関する嗜好情報を取得し、前記嗜好情報と前記情報ＩＤをもとに、前記情報の送信先端末を選択する機能を有する基地局を含むことを特徴とする請求項５に記載の広告配信システム。
【請求項９】
前記第一の基地局群および前記第二の基地局群は、前記第一の端末、前記第二の端末、前記第三の端末および前記第四の端末との通信履歴情報を記録し、前記情報主へ前記通信履歴情報を提供する機能をさらに有する基地局を含むことを特徴とする請求項１〜請求項４に記載の広告配信システム。
【請求項１０】
前記通信履歴情報を送信した基地局の管理者に対して、前記情報主がインセンティブを与えることを特徴とする請求項９に記載の広告配信システム。
【請求項１１】
前記通信履歴情報に前記情報を再送信した端末を特定する端末ＩＤを含むことを特徴する請求項９に記載の広告配信システム。
【請求項１２】
前記通信履歴情報に含まれる前記端末ＩＤをもとに、前記情報を再送信した前記第一の端末の管理者あるいは前記第三の端末の管理者に対して、前記情報主がインセンティブを与えることを特徴とする請求項１１に記載の広告配信システム。
【請求項１３】
前記情報を再送信した端末から、前記端末ＩＤを、前記第一の基地局群あるいは前記第二の基地局群に含まれる特定の基地局に対して送信することを特徴とする請求項１１に記載の広告配信システム。
【請求項１４】
前記無線信号が光信号であることを特徴とした請求項１および請求項３に記載の広告配信システム。
【請求項１５】
前記第一の基地局群あるいは前記第二の基地局群は、前記端末と無線で通信を行なう複数の基地局と、前記基地局同士を接続し、前記基地局間の情報伝送を可能にする制御局で構成される無線アクセスネットワークであることを特徴とする請求項１および請求項４に記載の広告配信システム。
【請求項１６】
前記第一の基地局群あるいは前記第二の基地局群は、前記端末と無線で通信を行なう複数の無線アクセスポイントと、前記無線アクセスポイント同士を接続し、前記無線アクセスポイント間の情報伝送を可能にすると共に、インターネットに接続されているルータで構成されるサブネットワークであることを特徴とする請求項１および請求項４に記載の広告配信システム。
【発明の詳細な説明】
【技術分野】
【０００１】
本発明は無線アクセスネットワークを利用した広告配信システムに関するものであり、より特定的には、広告の配信に関するもで、ネットワークのトラヒックを最低限に抑えることが出来る広告配信システムに関するものである。
【背景技術】
【０００２】
従来の広告配信方法の例を図２に示す。図２は、携帯電話システムにおける広告配信システムの例を示してある。１０は広告配信サーバ、１１はインターネット、１２は、携帯電話システムのコアネットワーク、１３ａ、１３ｂは無線アクセスネットワークであり、１４は、無線アクセスネットワーク内にある制御局、１５ａ〜１５ｂは基地局、１６ａ〜１６ｄは、携帯端末を示してある。インターネット１１に接続された広告配信サーバ１０から配信された広告は、インターネット１１、コアネットワーク１２、制御局１４、基地局１５を経由して携帯端末１６へ配信される。本配信方法では、通常、携帯端末１６より、広告配信サーバ１０に、広告の配信要求があった場合に広告配信サーバ１０より広告を配信する方法が一般的である。また、別の方法として、広告配信サーバ１０にあらかじめ蓄積された顧客情報を基に広告を配信する方法などもある。しかしながら、このような方法の場合、ユーザに個別に広告を配信する為、すべての広告はインターネットおよびコアネットワークを経由することになり、ネットワークのトラフィックを増大させる。特に、携帯電話システムの場合、複数の無線アクセスネットワークを移動しながら使用する為に、接続の切り替えに関する処理等も発生し、無線アクセスネットワークとコアネットワークを接続するゲートウエイにおける通信容量が不足しがちである。また、広告効果という点において、ユーザからの広告配信要求を待つ方法では、潜在的な顧客を開拓することが難しく、高い効果は期待できない。又、顧客情報をもとに配信する場合、入手した顧客情報が広告を配信するのに適切な顧客であるかどうかに、広告効果は大きく依存する。このような従来の問題を解決する一つの方法として、広告にＩＤを付与し、付与されたＩＤに基づいて、ユーザ側で受信する広告を選択する方法があった（特許文献１参照）。図３に当該特許における広告配信方法を説明する図を示す。図３における広告配信システムの構成は、図２における構成を同一であり、構成の説明は省略する。本配信方法では、サーバ１０は、広告に広告を分類するＩＤを付与し、すべての端末１６ａ〜１６ｄに対して同じ広告をマルチキャストにより配信する。本方法を各ノードにおいて広告をコピーすることにより、各端末に配信できる為、ネットワークのトラフィックを低減することができる。又、広告にあらかじめ付与されたＩＤを基に、ユーザ側で所望の広告を選択受信することにより、ユーザの嗜好にあった広告を配信することが可能となる。
【特許文献１】特開２００４−１１８３８２号公報
【発明の開示】
【発明が解決しようとする課題】
【０００３】
しかしながら、前記従来の構成では、ユーザ側で所望の広告を選択する為、広告効果を高める為には、多数の広告情報を配信する必要があり、サーバから配信する広告が大きな情報量となる課題がある。又、広告効果を高める為に、配信回数を増やすとそれに比例して、ネットワークのトラヒックが増大するという課題もある。
【０００４】
本発明は、前記従来の課題を解決するもので、インターネットや携帯電話のコアネットワーク等、トラフィックが集中しやすい基幹網におけるトラフィックを最低限に抑えつつ、広告配信効果を高めることができる広告配信システムを提供することを目的とする。
【課題を解決するための手段】
【０００５】
本願の第１の発明は、情報主が提供する情報を配信する情報配信サーバと、情報を受信し、無線信号として送信することができる基地局を複数有する第一の基地局群と、第一の基地局群と無線信号を介して通信することができる複数の端末とを具備し、複数の端末には、第一の基地局群から送信された情報を受信し、受信した情報を再送信する機能を有する第一の端末と、第一の端末より再送信された情報を受信する機能を有する第二の端末を含む広告配信システムである。
【０００６】
また、本願の第２の発明は、第１の発明の広告配信システムにおいて、第一の基地局群は、第一の端末より再送信された情報を受信し、受信した情報を第二の端末へ再送信する基地局を含む。
【０００７】
本願の第３の発明は、第１の発明の広告配信システムにおいて、第一の基地局群と無線信号を介して通信することができる通信エリアにおいて情報を受信し、第一の基地局群と無線信号を介して前記通信エリア外に移動し、情報を再送信する機能を有する第三の端末と、第三の端末より再送信された情報を受信する機能を有する第四の端末をさらに具備する。
【０００８】
本願の第４の発明は、第３の発明の広告配信システムにおいて、第三の端末から送信された情報を受信し、受信した情報を第四の端末へ再送信する基地局を含む第二の基地局群をさらに有する。
【０００９】
本願の第５の発明は、第１から第４の発明のいずれかの広告配信システムにおいて、情報に情報の内容に関する情報ＩＤが付加されている。
【００１０】
本願の第６の発明は、第５の発明の広告配信システムにおいて、第一の端末、第二の端末、第三の端末および第四の端末は、情報ＩＤをもとに、受信する情報を選択する機能を有する。
【００１１】
本願の第７の発明は、第５の発明の広告配信システムにおいて、第一の基地局群および第二の基地局群は、情報ＩＤをもとに情報の送信先端末を選択する機能を有する基地局を含む。
【００１２】
本願の第８の発明は、第５の発明の広告配信システムにおいて、第一の基地局群および第二の基地局群は、第一の端末、第二の端末、第三の端末および第四の端末から、受信したい情報に関する嗜好情報を取得し、嗜好情報と情報ＩＤをもとに、情報の送信先端末を選択する機能を有する基地局を含む。
【００１３】
本願の第９の発明は、第１から第４の発明のいずれかの広告配信システムにおいて、第一の基地局群および第二の基地局群は、第一の端末、第二の端末、第三の端末および第四の端末との通信履歴情報を記録し、情報主へ通信履歴情報を提供する機能をさらに有する基地局を含む。
【００１４】
本願の第１０の発明は、第９の発明の広告配信システムにおいて、通信履歴情報を送信した基地局の管理者に対して、情報主がインセンティブを与える。
【００１５】
本願の第１１の発明は、第９の発明の広告配信システムにおいて、通信履歴情報に情報を再送信した端末を特定する端末ＩＤを含む。
【００１６】
本願の第１２の発明は、第１１の発明の広告配信システムにおいて、通信履歴情報に含まれる端末ＩＤをもとに、情報を再送信した第一の端末の管理者あるいは第三の端末の管理者に対して、情報主がインセンティブを与える。
【００１７】
本願の第１３の発明は、第１１の発明の広告配信システムにおいて、情報を再送信した端末から、端末ＩＤを、第一の基地局群あるいは第二の基地局群に含まれる特定の基地局に対して送信する。
【００１８】
本願の第１４の発明は、第１または第３の発明の広告配信システムにおいて、無線信号が光信号である。
【００１９】
本願の第１５の発明は、第１または第４の発明の広告配信システムにおいて、第一の基地局群あるいは第二の基地局群は、端末と無線で通信を行なう複数の基地局と、基地局同士を接続し、基地局間の情報伝送を可能にする制御局で構成される無線アクセスネットワークである。
【００２０】
本願の第１６の発明は、第１または第４の発明の広告配信システムにおいて、第一の基地局群あるいは第二の基地局群は、端末と無線で通信を行なう複数の無線アクセスポイントと、無線アクセスポイント同士を接続し、無線アクセスポイント間の情報伝送を可能にすると共に、インターネットに接続されているルータで構成されるサブネットワークである。
【発明の効果】
【００２１】
上記第１の発明によれば、端末から端末へ情報を配信することができる為情報効果を高めることができる。
【００２２】
上記第２の発明によれば、基地局を介して情報を配信することができるため、より多くの端末に対して情報を配信することができる。
【００２３】
上記第３の発明によれば、端末が移動先の無線アクセスネットワークにおいて、情報を再送信することができる為、情報効果を高めることができる。
【００２４】
上記第４の発明によれば、基地局を介して情報を配信することができるため、より多くの端末に対して情報を配信することができる。
【００２５】
上記第５の発明によれば、情報を受信する際に、ユーザが必要な情報を自動的に取捨選択できると共に、基地局が通信履歴の一部として情報主に提供し、情報主がマーケティング等に活用することもできる。
【００２６】
上記第６の発明によれば、情報を受信する際に、ユーザが必要な情報を自動的に取捨選択できる。
【００２７】
上記第７の発明によれば、基地局側で送信する情報を管理することができるため、同じ情報を重複して携帯端末に送信する等、無駄を省くことが出来る。
【００２８】
上記第８の発明によれば、あらかじめ基地局において携帯端末ユーザの嗜好情報を管理することで、携帯端末ユーザに最適に情報を取捨選択して配信することができる。
【００２９】
上記第９の発明によれば、情報主に有用な通信履歴情報を提供することができる。
【００３０】
上記第１０の発明によれば、情報主が基地局の管理者にインセンティブを与えることで、通信履歴情報を提供するモチベーションを高めることが出来る。
【００３１】
上記第１１の発明によれば、通信履歴情報に端末ＩＤを含むことで、情報主が情報を再送信した携帯端末ユーザを特定することが出来る。
【００３２】
上記第１２の発明によれば、情報主が情報を再配信してくれた携帯端末ユーザにインセンティブを与えることで、情報再送信に対するモチベーションを高めることが出来る。
【００３３】
上記第１３の発明によれば、携帯端末に固有の端末ＩＤを基地局に知らせることができ、通信履歴情報の一部として管理することができる。
【００３４】
上記第１５の発明によれば制御局を介して情報の再送信を行なうことができるため、より広い範囲に情報の再送信が可能となる。
【００３５】
上記第１６の発明によれば、無線ＬＡＮなどの無線アクセスシステムにおいて広告配信を実現することができる。
【発明を実施するための最良の形態】
【００３６】
以下本発明の実施の形態について、図面を参照しながら説明する。
【００３７】
（実施の形態１）
図１は、本発明の実施の形態１における広告配信システムを表す図であり、携帯電話システムをベースとしたシステムである。図１において、１００は広告主が提供する広告を配信する情報配信サーバであり、インターネット１０１へ接続されている。インターネットは、携帯電話システムのコアネットワーク１０２と接続されている。１０３ａおよび１０３ｂは無線アクセスネットワークであり、１０３ａおよび１０３ｂは、互いにコアネットワーク１０２を介して接続されている。無線アクセスネットワーク１０３ａ、１０３ｂは、制御局１０４ａ、１０４ｂおよび基地局１０５ａ〜１０５ｃを含んでいる。制御局１０４ａは基地局１０５ａおよび１０５ｂを互いに有線で接続している。無線ネットワーク１０３ａあるいは１０３ｂはいずれも、一つの無線アクセスエリアを形成しており、複数の基地局および制御局で特定の地域をカバーするように設計されている。基地局１０５ａ〜１０５ｃは、制御局より有線により送信された情報を、電波を用いて携帯端末１０６ａ〜１０６ｄへ送信する。携帯端末１０６ａ〜１０６ｄは、基地局より送信された情報を、電波を媒体として受信する。携帯端末１０６ａ〜１０６ｄは任意の場所へ移動することができる。
【００３８】
ここで、本構成における広告配信手順を図４に示す。図１および図４を用いて広告配信システムの動作を説明する。情報配信サーバ１００より、携帯端末１０６ａへ広告が配信される。配信される広告は途中、インターネット１０１、コアネットワーク１０２、制御局１０４ａおよび基地局１０５ａを経由する。広告を受信した携帯端末１０６ａは、基地局１０５ａへ受信した広告を再送信する。広告を受信した基地局１０５ａは、基地局１０５ａと通信できるエリアに存在する端末に対して広告を再送信する。図１には、再送信された広告を携帯端末１０６ｂが受信する場合について示してある。
【００３９】
さらに携帯端末１０６ａは、当該端末を特定できる識別ＩＤを基地局１０５ａへ送信する。識別ＩＤを受け取った基地局１０５ａは、本識別ＩＤを含む通信履歴情報を広告主へ知らせる。図５では、情報配信サーバへ通信履歴情報を送信することで広告主へ通信履歴情報を知らせる方法について示してある。
【００４０】
そして、広告主は、通信履歴情報にもとづいて、基地局１０５ａの管理者や、携帯端末１０６ａの管理者にインセンティブをあたえる。
【００４１】
このような構成によれば、広告主から送信された広告は、携帯端末１０６ａにより、再送信され、基地局１０５ａがカバーするエリア内で再配信される為、広告がインターネットおよびコアネットワークを１回伝送されるだけで、本例では広告を２台の携帯端末へ配信することができる。さらに、基地局１０５ａがカバーするエリア内へ存在する端末すべてに広告を配信することができる為、当該エリアに存在する端末数に比例して広告の配信効果を高めることが出来る。又、複数の携帯端末より広告を再送信することも可能である為、広告配信効果は再送信する端末数が多くなれば、広告配信効果をさらに高めることが可能である。又、基地局において、広告を配信した携帯端末を識別する識別ＩＤを記録した通信履歴情報を管理し、当該通信履歴情報を広告主へ知らせることで、広告主は、当該通信履歴情報を、マーケティングやインセンティブの付与に利用することが出来る。そして、広告主は、当該通信履歴情報の提供を受けて、基地局１０５ａの管理者や、携帯端末１０６ａの管理者にインセンティブをあたえる事により、携帯端末からの広告の再送信や、基地局からの通信履歴情報の送信を、より促進させることが出来る。
【００４２】
なお、基地局１０５ａは、当該基地局がカバーするエリアへ存在する端末すべてに再送信するとしたが、特定の携帯端末に対して再送信しても良いし、再送信しなくてもよい。例えば、基地局１０５ａにおいて過去に再送信した広告を再度送信する際に、前回当該広告を送信した時刻よりほとんど時間が経過していない場合は、同一の広告を同一の端末に再送信する可能性が高い為、当該広告を再送信しなくてもよい。あるいは、当該広告を送信していない端末に対してのみ広告を送信してもよい。ここで、広告を送信していない端末を識別する方法としては、広告通信履歴として広告送信先の端末識別ＩＤをあらかじめ記録しておき、広告送信前に参照する方法がある。
【００４３】
なお、上述の例では、基地局において、広告を再送信する端末の選択や、広告再送信するかしないかを決定していたが、携帯端末において、広告を受信するかしないかを選択してもよい。この場合、広告にあらかじめ広告の内容を識別できるＩＤを付与しておき、当該ＩＤにもとづいて受信を選択する方法がある。
【００４４】
なお、広告送信元の携帯端末を識別するＩＤは、広告を再送信する際、広告に付加して基地局へ送信してもよい。
【００４５】
なお、通信履歴情報には、広告再送信元の携帯端末を識別するＩＤ、広告再送信先の携帯端末を識別するＩＤに加えて、再配信時刻や、再配信広告ＩＤなどを含めることで、広告主にとってより利用価値の高い情報にすることができる。
【００４６】
なお、本実施の形態では、情報配信サーバ１００は、インターネットに接続されていたが、無線アクセスネットワーク１０３ａの一部として、制御局１０４ａあるいは基地局１０５ａに接続されてもよい。このような構成にすることで、インターネットおよびコアネットワークのトラヒックをなくすことができる。さらに、無線アクセスネットワーク１０３ａがカバーするエリアに限定して広告を配信することが容易にできる為、特定の地域に限定した広告配信等に有効である。
【００４７】
なお、本実施の形態では、携帯電話システムを想定して説明を行なったが、無線ＬＡＮのような無線アクセスシステムでも、それぞれの構成要素を適当な機器に置き換えることで、上記と同様の動作が可能である。例えば、携帯電話のコアネットワーク１０２をなくし、インターネット１０１と無線アクセスネットワーク１０３ａ、１０３ｂを直接接続する。その接続には、制御局１０４ａ、制御局１０４ｂの代わりにルータを用いる。基地局１０５ａ〜１０５ｃを、無線ＬＡＮのアクセスポイントに置き換える方法がある。
【００４８】
なお、本実施の形態では、携帯端末１０６ａから送信された広告を基地局１０５ａで受信し、再送信した。その代わりに、図７、図８に示す様に、携帯端末１０６ａから送信された広告を制御局１０４ａで受信し、再送信してもよい。このようにすることで、制御局１０４ａと基地局１０５ａ、１０５ｂで構成された無線アクセスネットワーク１０３ａにおいて、広告の再配信が可能になる。
【００４９】
なお、本実施形態では、携帯端末１０６ａは基地局１０５ａを介して、携帯端末１０６ｂへ広告を再送信したが、携帯端末１０６ａより１０６ｂへ直接広告を送信しても良く、送信方法は、電波や光による無線に限らず、ケーブルによる有線接続、記憶媒体による受け渡しなどがあげられる。
【００５０】
（実施の形態２）
図５は、本発明の実施の形態２の広告配信システムの構成を表す図である。図５において構成要素は図１と同一である為、それぞれの構成要素の説明は省略する。本図では、無線アクセスネットワーク１０３ａへ存在していた携帯端末１０６ｂが無線アクセスネットワーク１０３ｂへ移動する場合を示している。図６に本実施の形態の広告配信システムの動作を説明する図を示す。本実施の形態における動作は、図４に示した動作に加えて、図６に示す動作を行なう。図４に示す動作では、情報配信サーバ１００から配信された広告を、携帯端末１０６ａが再送信し、当該広告を基地局１０５ａ経由で携帯端末１０６ｂが受信する。本実施の形態２の動作は、その後、図５に示す様に、携帯端末１０６ｂが、無線アクセスネットワーク１０３ｂへ移動した場合の動作である。ここで、無線アクセスネットワーク１０３ｂは、無線アクセスネットワーク１０３ａと同様に、基地局１０５ｃ、基地局をまとめる制御局１０４ｂから構成されている。
【００５１】
無線アクセスネットワーク１０３ｂへ移動した携帯端末１０６ｂは、無線アクセスネットワーク１０３ａにおいて受信した広告を、基地局１０５ｃへ再送信する。広告を受信した基地局１０５ｃは、基地局１０５ｃと通信できるエリアに存在する端末に対して広告を再送信する。図５には、再送信された広告を携帯端末１０６ｄが受信する場合について示してある。
【００５２】
さらに携帯端末１０６ｂは、当該端末を特定できる識別ＩＤを基地局１０５ｃへ送信する。識別ＩＤを受け取った基地局１０５ｃは、本識別ＩＤを含む通信履歴情報を広告主へ知らせる。図５では、情報配信サーバへ通信履歴情報を送信することで広告主へ通信履歴情報を知らせる方法について示してある。そして、広告主は、通信履歴情報にもとづいて、基地局１０５ｃの管理者や、携帯端末１０６ｂの管理者にインセンティブをあたえる。
【００５３】
このような構成によれば、携帯端末１０６ｂが移動前の無線アクセスネットワークにおいて受信した広告を移動先の無線アクセスネットワークにおいて再送信することができる為、広告主が広告を配信していない地域においても、広告配信が可能となる。従って、特定の地域に広告を配信していたとしても、携帯端末の移動にともない、広い地域に広告を配信することができるため、実施の形態１と比較して広告効果をより高めることが可能になる。
【産業上の利用可能性】
【００５４】
本発明にかかる広告配信システムは、ネットワークのトラフィックを最低限に抑えつつ、広告配信効果を高めることができるため、広告効果の高い宣伝方法として有用である。また、企業の宣伝に限らず、口コミ情報などさまざまな情報を広い範囲に頒布する用途にも使用できる。
【図面の簡単な説明】
【００５５】
【図１】本発明の実施の形態１における広告配信システムの構成を表す図
【図２】従来の広告配信システムを表す図
【図３】従来の広告配信システムを表す図
【図４】本の実施の形態１における広告配信システムの動作を説明する図
【図５】本発明の実施の形態２における広告配信システムの構成を表す図
【図６】本発明の実施の形態２における広告配信システムの動作を説明する図
【図７】本発明の実施の形態１における広告配信システムの別の構成を表す図
【図８】本発明の実施の形態１における広告配信システムの別の動作を説明する図
【符号の説明】
【００５６】
１０，１００    情報配信サーバ
１１，１０１    インターネット
１２，１０２    コアネットワーク
１３ａ，１３ｂ，１０３ａ，１０３ｂ    無線アクセスネットワーク
１４，１０４ａ，１０４ｂ    制御局
１５ａ，１５ｂ，１０５ａ，１０５ｂ，１０５ｃ    基地局
１６ａ，１６ｂ，１６ｃ，１０６ａ，１０６ｂ，１０６ｃ，１０６ｄ    携帯端末
【図１】
2009147846.tif 000003
【図２】
2009147846.tif 000004
【図３】
2009147846.tif 000005
【図４】
2009147846.tif 000006
【図５】
2009147846.tif 000007
【図６】
2009147846.tif 000008
【図７】
2009147846.tif 000009
【図８】
2009147846.tif 000010